(57)【要約】  医療装置の一例が開示されている。本装置は、管状部材であって、その中に形成される内腔及びガイドワイヤポートを形成する遠位端部を有する管状部材を備えている。本医療装置は又、管状部材の遠位端部に沿って配置される拡張可能なフレームを備え、拡張可能なフレームは第一態様と拡張態様との間に切り換えられるよう設計されている。フレームは基部、端部領域及び基部と端部領域との間に延びる複数のストラットを備え、ストラットはフレームに沿った複数の開口部を規定する。本医療装置は又、フレームの一部に取り付けられたカバーを有し、フレームが体管腔内に位置決めされている時、フレームがガイドワイヤポートを心臓弁の開口と整合させるように、カバーは一つ又はそれ以上の複数の開口部を覆うように構成されている。
2019502461.tif 000002
【特許請求の範囲】
【請求項１】
医療装置において、
管状部材であって、その中に形成される内腔及びガイドワイヤポートを形成する遠位端部を有する管状部材と、
前記管状部材の前記遠位端部に沿って配置される拡張可能なフレームであって、前記フレームは第一態様と拡張態様との間に切り換えられるよう設計されていて、基部、端部領域及び前記基部と前記端部領域との間に延びる複数のストラットを備え、前記ストラットは前記フレームに沿った複数の開口部を規定する前記フレームと、
前記フレームの一部に取り付けられたカバーであって、前記カバーは、前記フレームが体管腔内に配置されている時に、前記フレームが前記ガイドワイヤポートを心臓弁の開口と整合させるように、一つ又はそれ以上の前記複数の開口部を覆うように構成されているカバーと、を備える医療装置。
【請求項２】
前記フレームが拡張態様にある時に前記端部領域は放線状に拡張している、請求項１に記載の医療装置。
【請求項３】
前記フレームが拡張態様にある時に、前記フレームは円錐形状を有する、請求項１又は２に記載の医療装置。
【請求項４】
前記フレームはニッケルチタン合金を含む、請求項１〜３のいずれか一項に記載の医療装置。
【請求項５】
前記カバーは血流を前記複数の開口部へ送り込むよう設計されている、請求項１〜４のいずれか一項に記載の医療装置。
【請求項６】
前記カバーは前記フレームまわりに延びている、請求項１〜５のいずれか一項に記載の医療装置。
【請求項７】
前記カバーは前記フレームの前記端部領域に隣接して位置決めされている、請求項１〜６のいずれか一項に記載の医療装置。
【請求項８】
前記フレームの基部に隣接する前記フレームの一部には前記カバーがない、請求項１〜７のいずれか一項に記載の医療装置。
【請求項９】
前記カバーは布を有する、請求項１〜８のいずれか一項に記載の医療装置。
【請求項１０】
前記カバーは前記フレームの外面、又は前記フレームの内面、又はその両方に沿って配置されている、請求項１〜９のいずれか一項に記載の医療装置。
【請求項１１】
前記カバーは膨張したポリテトラフルオロエチレンを有する、請求項１〜１０のいずれか一項に記載の医療装置。
【請求項１２】
前記管状部材のまわりに配置された挿入スリーブを更に有する、請求項１〜１１のいずれか一項に記載の医療装置。
【請求項１３】
前記挿入スリーブは前記管状部材に関してスライド可能であり、前記挿入スリーブは前記フレームを前記第一態様にシフトするために前記フレーム上をスライド可能である、請求項１２に記載の医療装置。
【請求項１４】
前記管状部材の近位領域に沿って配置されたマーカを更に有する、請求項１〜１３のいずれか一項に記載の医療装置。
【請求項１５】
医療装置の製造方法において、その方法は、
管状部材に拡張可能なフレームを取り付けることを含み、
前記管状部材はその中に形成される内腔及びガイドワイヤポートを規定する遠位端部を有する管状部材を備え、
第一態様と拡張態様との間に切り換えられるように設計される拡張可能なフレームであって、基部、端部領域及び前記基部と前記端部領域との間に延びる複数のストラットを備え、前記ストラットは前記フレームに沿った複数の開口部を規定しており、
前記方法は、前記フレームの一部にカバーを取り付けることを含み、
前記カバーは、前記フレームが体管腔内に位置している時、前記フレームが前記ガイドワイヤポートを心臓弁の開口と整合させるように、一つ又はそれ以上の前記複数の開口部を覆うように構成されていることと、を含む方法。
【請求項１６】
医療装置において、
管状部材であって、その中に形成される内腔及びガイドワイヤポートを形成する遠位端部を有する管状部材と、
前記管状部材の遠位端部に沿って配置される拡張可能なフレームであって、前記フレームは第一態様と拡張態様との間に切り換えられるよう設計されていて、
基部、端部領域及び前記基部と前記端部領域との間に延びる複数のストラットを備え、前記ストラットは前記フレームに沿った複数の開口部を規定する前記フレームと、
前記フレームの一部に取り付けられたカバーであって、前記カバーは、前記フレームが体管腔内に配置されている時に、前記フレームが前記ガイドワイヤポートを心臓弁の開口と整合させるように、一つ又はそれ以上の前記複数の開口部を覆うように構成されているカバーと、を備える医療装置。
【請求項１７】
前記フレームが拡張態様にある時に前記端部領域は放線状に拡張している、請求項１６に記載の医療装置。
【請求項１８】
前記フレームが拡張態様にある時に、前記フレームは円錐形状を有する、請求項１６に記載の医療装置。
【請求項１９】
前記フレームはニッケルチタン合金を含む、請求項１６に記載の医療装置。
【請求項２０】
前記カバーは血流を前記複数の開口部へ送り込むよう設計されている、請求項１６に記載の医療装置。
【請求項２１】
前記カバーは前記フレームまわりに延びている、請求項１６に記載の医療装置。
【請求項２２】
前記カバーは前記フレームの前記端部領域に隣接して位置決めされている、請求項１６に記載の医療装置。
【請求項２３】
前記フレームの基部に隣接する前記フレームの一部には前記カバーがない、請求項１６に記載の医療装置。
【請求項２４】
前記カバーは布を有する、請求項１６に記載の医療装置。
【請求項２５】
前記カバーは前記フレームの外面、又は前記フレームの内面、又はその両方に沿って配置されている、請求項１６に記載の医療装置。
【請求項２６】
前記カバーは膨張したポリテトラフルオロエチレンを有する、請求項１６に記載の医療装置。
【請求項２７】
前記管状部材のまわりに配置された挿入スリーブを更に有する、請求項１６に記載の医療装置。
【請求項２８】
前記挿入スリーブは前記管状部材に関してスライド可能であり、前記挿入スリーブは前記フレームを前記第一態様にシフトするために前記フレーム上をスライド可能である、請求項２７に記載の医療装置。
【請求項２９】
前記管状部材の近位領域に沿って配置されたマーカを更に有する、請求項１６に記載の医療装置。
【請求項３０】
医療装置の製造方法において、その方法は、
管状部材に拡張可能なフレームを取り付けることを含み、
前記管状部材はその中に形成される内腔及びガイドワイヤポートを規定する遠位端部を有する管状部材を備え、
第一態様と拡張態様との間に切り換えられるように設計される拡張可能なフレームであって、基部、端部領域及び前記基部と前記端部領域との間に延びる複数のストラットを備え、前記ストラットは前記フレームに沿った複数の開口部を規定しており、
前記方法は、前記フレームの一部にカバーを取り付けることを含み、
前記カバーは、前記フレームが体管腔内に位置している時、前記フレームが前記ガイドワイヤポートを心臓弁の開口と整合させるように、一つ又はそれ以上の前記複数の開口部を覆うように構成されていることと、を含む方法。
【請求項３１】
自己中央化医療装置において、
ガイドワイヤ内腔を形成する細長いシャフトであって、遠位ガイドワイヤポートを備えるシャフトと、
前記シャフトまわりに配置されたスライド可能なスリーブと、
前記シャフトに連結された自己拡張性のバスケットであって、第一態様と拡張態様との間に切り換えられよう設計されており、
前記バスケットが前記第一態様にある時に、前記バスケットまわりに配置される前記スリーブと、
前記遠位ガイドワイヤポートに近接して配置される基部と、前記遠位ガイドワイヤポートに隣接して配置される端部領域と、フレームに沿って複数の開口部を規定する、前記基部と前記端部領域との間に延びる複数のストラットと、を有するバスケットと、
前記フレームに取り付けられたカバーであって、
前記フレームが心臓弁に隣接した血管内に位置決めされる時に、前記遠位ガイドワイヤポートを心臓弁の開口と整合させるように、前記複数の開口部のうちいくつかを覆い、血流が前記複数の開口部へ送り込まれるように設計されているカバーと、を有する自己中央化医療装置。
【請求項３２】
前記バスケットが拡張態様にある時に前記バスケットは円錐形状を有する、請求項３１に記載の自己中央化医療装置。
【請求項３３】
前記カバーは前記バスケットの遠位部まわりに一周配置され、前記バスケットの近位部には前記カバーがない、請求項３１に記載の自己中央化医療装置。
【請求項３４】
前記カバーは、前記バスケットの外面、又は前記バスケットの内面、又はその両方に沿って配置されている、請求項３１に記載の自己中央化医療装置。
【請求項３５】
前記カバーは膨張したポリテトラフルオロエチレンを有する、請求項３１に記載の自己中央化医療装置。
【発明の詳細な説明】
【技術分野】
【０００１】
本開示は医療用装置、及び医療用装置の製造方法に関する。特に、本開示は自己中央化カテーテルを伴う細長い医療装置に関する。
【背景技術】
【０００２】
心臓弁狭窄は心臓弁が狭められた（狭窄）状態である。例えば、僧帽弁狭窄症は僧帽弁の病的な狭窄であり、左心房から左心室への血流の制限につながる。大動脈弁狭窄症は心臓の大動脈弁が狭い時に引き起こされ、心臓が体へ血液を送り出すための仕事を難しくする。軽度から中程度の大動脈弁狭窄症の症状を和らげる薬物療法はあるが、重度の大動脈弁狭窄を治療する唯一の方法は弁を交換するという手順を経ることである。大動脈弁の修復や交換の治療には、数ある治療法のうち、トランスカテーテル大動脈弁交換（ＴＡＶＲ）がある。ＴＡＶＲは、例えば大腿動脈、腋窩又は鎖骨下動脈を通って届けられる人工弁で大動脈弁を交換することを含む。
【０００３】
しばしば、疾患がある心臓弁は弁膜周囲に深刻な石灰化が見られる。石灰化は本来の心臓の態様を大きく変える。例えば、健康な心臓では、弁口は一般的に心臓の弁膜の中央に配向している。しかし、石灰化は実際上、弁口の位置を「変えること」又は弁口を狭めることの少なくともいずれか一方をもたらす。ＴＡＶＲを行う際に最も困難な過程の一つは、例えば、弁口の位置を特定し、かなり狭い弁を通ってガイドワイヤを通すことである。
【０００４】
現在の技術ではしばしば、弁口の位置を特定しようと医師が弁の表面を横切ってガイドワイヤで探ることを伴う。弁の表面を探ることで、臨床医は狭窄した弁口を特定してそこを突き通すことを期待する。しかし、弁を通って高圧噴射される血液と心臓の鼓動が、探るという手法をより難しくしている。さらに、探るという手法は全体の手術時間を延ばし、それによって患者が放射線、造影剤及び麻酔にさらされる時間を長くする。それに加えて、探るという手法は弁の表面から石灰化した組織破片がはがれる危険性を増大させる。それ故に、ガイドワイヤを前進させることに先立って、効果的にガイドワイヤを弁口を越えて中央に寄せるガイドワイヤ中央化装置を利用することを、臨床医は望むだろう。
【０００５】
本開示は血管内治療で心臓弁交換するための方法及び装置に関する。特に、本開示は疾患がある心臓弁の弁口を越えてガイドワイヤを中央化する方法や装置に関する。
【発明の概要】
【０００６】
本開示は、医療装置のためのデザイン、材料、製造方法及び代替的使用を提供する。一例では、医療装置は、管状部材であって、その中に形成される内腔及びガイドワイヤポートを形成する遠位端部を有する管状部材を有する。本医療装置は又、管状部材の遠位端部に沿って配置される拡張可能なフレームを備え、拡張可能なフレームは第一態様と拡張態様との間に切り換えられるよう設計されている。フレームは基部、端部領域及び基部と端部領域との間に延びる複数のストラットを備え、ストラットはフレームに沿った複数の開口部を規定する。本医療装置は又、フレームの一部に取り付けられたカバーを有し、フレームが体管腔内に配置されている時、フレームがガイドワイヤポートを心臓弁の開口と整合させるように、カバーは一つ又はそれ以上の複数の開口部を覆うように構成されている。
【０００７】
上記例のいずれか一つに代替的にまたは追加的に、別例では、フレームが拡張態様にある時に端部領域は放線状に拡張している。
上記例のいずれか一つに代替的にまたは追加的に、別例では、フレームが拡張態様にある時にフレームは円錐形状を有する。
【０００８】
上記例のいずれか一つに代替的にまたは追加的に、別例では、フレームはニッケルチタン合金を含む。
上記例のいずれか一つに代替的にまたは追加的に、別例では、カバーは血流を複数の開口部へ送り込むよう設計されている。
【０００９】
上記例のいずれか一つに代替的にまたは追加的に、別例では、カバーはフレームまわりに延びている。
上記例のいずれか一つに代替的にまたは追加的に、別例では、カバーはフレームの端部領域に隣接して位置決めされている。
【００１０】
上記例のいずれか一つに代替的にまたは追加的に、別例では、フレームの基部に隣接するフレームの一部には前述のカバーがない。
上記例のいずれか一つに代替的にまたは追加的に、別例では、カバーは布を有する。
【００１１】
上記例のいずれか一つに代替的にまたは追加的に、別例では、カバーはフレームの外面、又はフレームの内面、又はその両方に沿って配置されている。
上記例のいずれか一つに代替的にまたは追加的に、別例では、カバーは膨張したポリテトラフルオロエチレンを有する。
【００１２】
上記例のいずれか一つに代替的にまたは追加的に、別例では、管状部材のまわりに配置された挿入スリーブを更に有する。
上記例のいずれか一つに代替的にまたは追加的に、別例では、挿入スリーブは管状部材に関してスライド可能であり、挿入スリーブはフレームを第一態様にシフトするためにフレーム上をスライド可能である。
【００１３】
上記例のいずれか一つに代替的にまたは追加的に、別例では、管状部材の近位領域に沿って配置されたマーカを更に有する。
医療装置の製造方法の一例に、その方法は、管状部材に拡張可能なフレームを取り付けることを含み、管状部材は、内腔を形成する管状部材及びガイドワイヤポートを形成する遠位端部を有し、拡張可能なフレームは、第一態様と拡張態様との間に切り換えられるよう設計されており、フレームは、基部、端部領域及び基部と端部領域との間に延びる複数のストラットを備え、ストラットはフレームに沿った複数の開口部を規定しており、前記方法は、フレームの一部にカバーを取り付けることを含み、カバーは、フレームが体管腔内に配置されている時、フレームがガイドワイヤポートを心臓弁の開口と整合させるように、一つ又はそれ以上の複数の開口部を覆うように構成されていることと、を含む。
【００１４】
自己中央化医療装置の他の一例に、ガイドワイヤ内腔を形成する細長いシャフトであって、遠位ガイドワイヤポートを備えるシャフトと、シャフトまわりに配置されたスライド可能なスリーブと、シャフトに連結された自己拡張性のバスケットであって、第一態様と拡張態様との間に切り換えられるよう設計されており、バスケットが第一態様にある時に、バスケットまわりに配置されるスリーブと、遠位ガイドワイヤポートに近接して配置される基部と、遠位ガイドワイヤポートに隣接して配置される端部領域と、フレームに沿って複数の開口部を規定する、基部と端部領域との間に延びる複数のストラットとを有するバスケットと、フレームに取り付けられたカバーであって、フレームが心臓弁に隣接した血管内に位置決めされる時に、遠位ガイドワイヤポートが心臓弁の開口と整合させるように、複数の開口部のうちいくつかを覆い、血流が複数の開口部へ送り込まれるように設計されているカバーとを有する。
【００１５】
上記例のいずれか一つに代替的にまたは追加的に、別例では、バスケットが拡張態様にある時にバスケットは円錐形状を有する。
上記例のいずれか一つに代替的にまたは追加的に、別例では、カバーはバスケットの遠位部まわりに一周配置され、バスケットの近位部にはカバーがない。
【００１６】
上記例のいずれか一つに代替的にまたは追加的に、別例では、カバーはバスケットの外面、又はバスケットの内面、又はその両方に沿って配置されている。
上記例のいずれか一つに代替的にまたは追加的に、別例では、カバーは膨張したポリテトラフルオロエチレンを有する。
【００１７】
いくつかの実施形態にかかる上記概要は、本開示に関する開示された実施形態またはすべての実施態様を説明することを意図したものではない。以下の図面及び詳細な説明は、本開示の実施形態をより具体的に例示するものである。
【００１８】
本開示は、以下の添付の図面と合わせて以下の詳細な説明を考慮することにより深く理解することが可能である。
【図面の簡単な説明】
【００１９】
【図１】拡張態様にある血管内医療装置の一例の側面図である。
【図２】折り畳み態様にある血管内医療装置の一例の側面図である。
【図３】患者内に血管内医療装置を配置する一例を示す。
【図４】心臓に配置された血管内医療装置の一例を示す。
【図５】拡張態様にある血管内医療装置の他の一例を示す斜視図である。
【図６】拡張態様にある血管内医療装置の他の一例を示す端面図である。
【図７】体管腔に位置する血管内医療装置の一例を示す。
【図８】体管腔に位置する血管内医療装置の一例を示す。
【発明を実施するための形態】
【００２０】
本開示は、様々な変更形態と代替形態とが可能であるが、それらのうちの特別なものが、図面に例示することを目的として図示され、かつ、詳細に説明されている。しかしながら、これは、本開示を説明した特定の実施形態に限定することを意図していると理解してはならない。逆に、本開示の主旨および範囲内に入るすべての変更形態と均等形態と代替形態とを包含させることを意図している。
【００２１】
以下の用語については、請求項または本明細書において異なる定義が与えられない限り以下の定義が適用されるものとする。
すべての数値は、明示の記載の有無にかかわらず、「約」という用語で修飾されると想定されている。「約」という用語は、一般的に当業者が、記載された数値に等しい、つまり、同じ機能または結果を奏する、と考える数値範囲を示す。多くの場合、「約」には、最も近い有効数字に四捨五入される複数の数値が含まれる。
【００２２】
数値範囲を終点で記載されている場合には、その範囲に入る全ての数値が含まれる。例えば、１から５には、１，１．５，２，２．７５，３，３．８０，４，５が含まれる。
本明細書および添付の請求の範囲で使用する単数形の「ａ」、「ａｎ」、「ｔｈｅ」には、反対のことが明記されていない限り複数の指示対象が含まれる。本明細書および添付の請求の範囲で使用する「ｏｒ（又は）」は、反対のことが明記されていない限り「ａｎｄ／ｏｒ（及び／又は）」を含む意味で使用する。
【００２３】
本明細書において、「ある実施形態」、「いくつかの実施形態」、「その他の実施形態」にかかる記載は、記載されている実施形態が、一つ以上の特定の要素、構造、および特性のうちの少なくともいずれか一つを備えることを意味する。しかしながら、このような記載は、すべての実施形態が、特定の要素、構造、および特性のうちの少なくともいずれか一つを備えることを必ずしも意味しない。加えて、特定の要素、構造、および特性のうちの少なくともいずれか一つがある実施形態と関連付けて記載されている場合でも、それらの要素、構造、および特性のうちの少なくともいずれか一つは、明記されているか否かにかかわらず、反対のことが明示されていない場合には、他の実施形態と組み合わせて使用することが可能である。
【００２４】
以下の詳細な説明は、図面を参照して読まれたい。異なる図面の類似する構造には同一の番号が付されている。図面は、必ずしも縮尺通りではないが、例示的実施形態を示すものであり、本願発明の範囲を限定することを意図したものではない。
【００２５】
前述のように、疾患がある心臓弁は弁膜周囲に深刻な石灰化が見られる。石灰化は本来の心臓の態様を大きく変える。例えば、健康な心臓では、弁口は一般的に心臓の弁膜の中央に配向されている。しかし、石灰化は実際上、弁口の位置を「変えること」又は弁口を狭めることの少なくともいずれか一方をもたらす。ＴＡＶＲを行う際に最も困難な過程の一つに、例えば、弁口の位置を特定し、かなり狭い弁を通ってガイドワイヤを通すことである。
【００２６】
現在の技術ではしばしば、弁口の位置を特定しようと医師が弁の表面を横切ってガイドワイヤで探ることを伴う。弁の表面を探ることで、臨床医は狭窄した弁口を特定してそれを突き通すことを期待する。しかし、弁を通って高圧噴射される血液と心臓の鼓動が、探るという手法をより難しくしている。さらに、探るという手法は全体の手術時間を延ばし、それによって患者が放射線、造影剤及び麻酔にさらされる時間を長くする。それに加えて、探るという手法は弁の表面から石灰化した組織破片がはがれる危険性を増大させる。それ故に、ガイドワイヤを前進させることに先立って、効果的にガイドワイヤを弁口を越えて中央に寄せるガイドワイヤ中央化装置を利用することを、臨床医は望むだろう。以下の開示は疾患がある心臓弁の弁口を越えてガイドワイヤを中央化する方法や装置に関する。特に、以下の例示はしなやかなシャフトに取り付けられた、カバーを有するバスケットであって、疾患がある心臓弁を通る血流で自己中央化をするよう設計されたバスケット、を有する血管内医療装置を開示する。
【００２７】
図１は血管内医療装置１０の一例を示す。血管内医療装置１０は様々の医療用目的で体管腔に配置されるよう設計される。例えば、血管内医療装置１０は時に体管腔に人工弁又はフィルタを配置するために使用される。
【００２８】
心臓弁を交換するために血管内医療装置１０を使用する一例の第一ステップでは、血管系経由で体に入ることが含まれる。例えば、臨床医は初めに大腿動脈、腋窩又は鎖骨下動脈などから大動脈弓にガイドワイヤを配置する。次に、臨床医は、ガイドワイヤを使用してガイドカテーテルを押し上げ大動脈弓を越えさせる。臨床医は例えば、大動脈弁の流出路部分に実質的に隣接させてガイドカテーテルを配置することができる。臨床医は次に、内腔を通して、血管内医療装置１０を前進させ、ガイドカテーテルの遠位端を出すことができる。臨床医は次に、血管内医療装置１０を使用して弁口を越えてガイドワイヤを中央に位置させるために、ガイドワイヤを弁口を介して、左心室に進める。ガイドワイヤの位置を左心室に保つ間、臨床医はガイドカテーテル内で医療装置１０を再び捉える。時には、臨床医はガイドカテーテル（再び捉えられた医療装置１０を含む）を左心室まで前進させる。一旦、左心室内に配置（例えば脱出）されると、臨床医は元のガイドワイヤを第二ガイドワイヤと交換することができる。臨床医は医療装置１０とガイドカテーテルを（第二ガイドワイヤの位置を保ちながら）、患者内から回収し、第二ガイドワイヤを使用して追加の医療装置を心臓に到達させることができる。
【００２９】
図１の医療装置１０は、近位端部１４と遠位端部１２を有するシャフト１８を備える。シャフト１８は、管状部材であって、その中に延在する内腔を有する管状部材と定義される。言い換えると、シャフト１８はシャフト１８の全長に沿って延びる内腔、又はシャフト１８の一部分のみに沿って延びる内腔を含んでもよい。シャフト１８の内腔は、その中に延在するガイドワイヤを収容するように、大きさ及び形状の少なくとも一方を決めることができる。
【００３０】
シャフト１８の近位部１４はそれに取り付けられるハブ部材２０を含む。ハブ部材２０はそこを通って延びる内腔及び通路の少なくとも一方であって、シャフト１８の内腔と実質的に整合する内腔又は通路を備える。シャフト１８に関する説明と同様に、ハブ２０の内腔は、それを通って延びるガイドワイヤの収容に適するように、大きさ及び形状の少なくとも一方を決めることができると考えられる。図１に示すハブ２０の形状は、ここに開示された機能を発揮できる数ある形状及び態様の少なくとも一方のうちの、ほんの一つである。
【００３１】
シャフト１８は遠位端領域１２を含む。バスケット部材５０はシャフト１８の遠位端領域１２に沿って配置されている。バスケット部材５０は一般的にフレーム２２を含む。時には、フレーム２２は金属（例えばニチノール）チューブから形成される（例えばレーザーカット）。例えば、時にはバスケット５０は自己拡張性の形状記憶バスケットと定義される。しかし、フレーム２２はニチロール以外の材料から構成されることが期待される。例えば、フレーム２２は代替可能な金属、高分子及びセラミック材料の少なくとも一つ、及び、それらの組み合わせで構成されることができる。
【００３２】
いくつかの例として、フレーム２２は骨格を形成するために配置された一つ又はそれ以上のストラット部材２６を含む。以下でより詳細に説明するが、ストラット部材２６は様々な様式、形状、幾何学模様などを有する骨格を形成するために配置される。加えて、フレーム２２がシャフト１８の外面の全周に延びる（例えば、３６０度）ことを明確にするように、一般的にストラット部材２６を配置させることが考えられる。
【００３３】
バスケット部材５０（フレーム部材２２を含む）は、さらに基部部材２４を形成する。基部部材２４は前述のフレーム２２を形成するために使用されるチューブ（例えばニチノールチューブ）の一部（例えば単一の部材）となることができる。代替的に、基部部材２４はフレーム２２から分離して取り付けられている別個の構成要素であることも考えられる。例えば、基部部材２４はフレーム２２を形成している一つ又はそれ以上のストラット部材２６に対して溶接、接合などを行える。加えて、基部部材２４はシャフト１８に取り付けられてもよい。いくつかの例として、ストラット部材２６は基部部材２４と単一の構造を構成することができる。さらに、ストラット部材２６は基部部材２４とフレーム２２の間に配置できる。
【００３４】
例として、バスケット部材５０はさらにフレーム２２の全体又はフレーム２２の一部のみに沿って配置されたカバー２８（図１中にドットパターンで示している）を含む。言い換えれば、カバー２８はフレームの表面領域全体を覆うことも、又はフレーム２２の一部のみを覆うこともできる。以下に、より詳細に説明するが、カバー２８がフレーム２２の選択された部分のみを覆うことにより、フレーム２２の一部がカバー２８に覆われないようにすることができる。カバー２８がないフレーム２２の一部は、バスケット部材５０の開口部、開口、穴など４４と特徴付けられることができる。しかし、バスケット部材５０の開口部、開口、穴など４４を形成するために取り除かれたカバー２８の選択された部分と共に、フレーム２２の表面全体はカバー２８を含むことが可能であると考えられる。例えば、ストラット部材２６の間に形成された開口部４４にはカバー２８がない一方で、ストラット部材２６のある部分のある表面はカバー２８を含んでもよい。
【００３５】
カバー２８は適切な材料から形成されることができる。例えば、カバー２８はシリコーン、ポリテトラフルオロエチレン、ポリウレタン、又は同等の材料、又は本開示中の材料を含む他の材料を含むことができる。時には、カバー部材２８はフレーム２２の外面に沿って配置されることができる。他の例では、カバー部材２８はフレームの内面及び外面の両方に沿って配置されることができる。これらの例又は他の例では、カバー部材２８はフレーム２２を封入すること（例えばラミネート）又はそうでなければカバー部材にフレーム２２を埋め込むことができる。フレーム２２にカバー２８を結合させることは、積層、熱連結、成形、塗装、浸漬塗装、押し出し成形、又は同等の方法を含む。加えて、図１に示していないが、カバー２８のあらゆる部分は流体がそこを通って流れることを可能にするために、スリット、カット、穴、開口部などを含んでもよい。例えば、カバー２８の一部分は、血液がそこを通って流れることを可能にするために「Ｔ型」に開いたスリットを備えることが可能である。これは一例にすぎず、他の開口部の形状を制限する意図ではないことは理解されよう。
【００３６】
図１はさらに、医療装置１０が一つ又はそれ以上のマーカ５６を含んでもよいことを示している。マーカ５６はＸ線不透過性の物質を含んでいても、そうでなくてもよい。例えば、図１はシャフト部材１８に沿って配置される（取り付けられる、固定される、位置を決められる）マーカ５６を示している。図１はシャフト１８に沿って配置されるマーカ５６を示しているが、マーカ５６は医療装置１０の他の部分に配置されていてもよい。例えば、マーカはバスケット部材５０及びハブ２０の少なくともいずれか一方に配置されていてもよい。マーカ５６は、患者の心臓及び／又は医療行為で用いられる追加の医療装置に関しての医療装置１０の相対的な位置を、視覚化するために用いられることができる。例えば、バスケット５０がガイドカテーテルの遠位端にある時、及びそこから配備されようとしている時を、特定するためにマーカ５６を使用することができる。
【００３７】
追加的に、図１はシャフト１８に沿って配置される挿入スリーブ３０を示す。挿入スリーブ３０は一般的に長さと、そこを通って延びる内腔とを有する管状部材として定義される。例として、挿入スリーブの寸法（内腔の直径）はシャフト１８が挿入スリーブ３０の内腔を通るように設計されている。さらに、挿入スリーブ３０はシャフト１８に沿ってスライド又は移動の少なくとも一方ができるように設計されていることが考えられる。
【００３８】
スリーブ３０はシャフト１８の遠位端１２に向かってスライドするよう設計される。加えて、いくつかの例として挿入スリーブはバスケット部材５０を越えてスライドできるよう設計されてもよい。例えば、バスケット５０は図１に示すような拡張態様から折り畳み態様に放射状に折り畳まれるよう設計されてもよい。言い換えると、フレーム２２のストラット部材２６はシャフト１８の長手方向軸に向かって放射方向内側に畳まれてもよい。フレーム２２の拡張態様は、基部部材２４の外径と実質的に均等（例えば面一な）外径になるように折り畳まれることが考えられる。
【００３９】
上述のように、時にはバスケット部材５０を拡張態様から折り畳み態様にシフトすることが望ましい。例えば、臨床医が患者内で医療装置１０を前進させること、及び、位置決めすることの少なくとも一方を補助するために、バスケット部材５０を折り畳み態様に位置決めすることが望ましい。図２は折り畳み態様の医療装置１０を示す。図２に示すように、挿入スリーブ３０はシャフト１８の遠位部に向かって前進されている（例えば、スライドしている、移されている）。更に、挿入スリーブ３０はバスケット部材５０を越えて位置決めされている（例えば、スライドしている）。図２に示していないが、バスケット部材５０は挿入スリーブ３０の下方に折り畳まれ、収められていることが考えられる。それに応じて、バスケット部材５０を放射状に拡張させるために、挿入スリーブをシャフト１８の近位領域にスライドさせることが更に考えられる。言い換えると、シャフト１８に沿ってシャフト１８の近位端に向かって挿入スリーブを移動させることで、バスケット部材５０の覆いを取ることができる。
【００４０】
図３は医療装置１０の送達システム及び方法論の例を示している。図３は患者４０の外側の位置から患者４０の内側の位置へと延びる、ガイドカテーテル３６の一例を示している。ガイドカテーテル３６は遠位端（患者の内側に位置決めされる）と、近位端（臨床医に最も近い）と、近位端から遠位端へと、ガイドカテーテルの内部を延びる内腔とを有することが考えられる。更に、ガイドカテーテル３６は、ガイドカテーテル３６の近位端に沿って配置されるハブ部材５２を有する。ハブ５２はルア又は他のタイプのコネクタを有する。ハブ５２はまた、止血弁を有してよい（示していない）。図３は更に、医療装置１０はガイドカテーテル３６の内腔に挿入され、そこを通って延びることを示している。図３に示すように、医療装置１０は患者内に配置されている間、ガイドカテーテル３６の遠位端の外に前進させられてもよい。
【００４１】
バスケット５０が拡張態様にある間、バスケット部材５０をガイドカテーテル３６のハブ５２に挿入することは難しいことが考えられる。それ故に、臨床医が簡単に医療装置１０をガイドカテーテル３６に挿入することを可能にするために、バスケット部材５０が折り畳み態様にある間、バスケット部材５０をガイドカテーテル３６のハブ５２に挿入することが望ましい。
【００４２】
医療装置１０をガイドカテーテル３６に挿入する方法論の一例は、挿入スリーブ３０を使用しガイドカテーテル３６のハブ５２と効果的に「架橋する」ことを含んでもよい。言い換えると、バスケット部材５０が挿入スリーブ３０を経由して折り畳み態様に保たれている間に、挿入スリーブ３０はガイドカテーテル３６のハブ５２に部分的に挿入されていてもよい。挿入部材３０をガイドカテーテル３６に「部分的に挿入」することは、挿入部材３０にハブ５２を隣接させることと、挿入部材３０をハブ５２に部分的に挿入することと、又は、挿入部材３０の一部がガイドカテーテル３６の内腔に位置決めされるよう、挿入部材３０をハブ５２に部分的に挿入することと、を含むことが考えられる。しかし、挿入部材３０がハブ５２に進入及び／又は通過する度合いにかかわらず、挿入スリーブ３０の一部は近位の（例えば、外側の）ハブ５２に残っている。
【００４３】
一旦、挿入スリーブ３０が十分にガイドカテーテル３６内に配置された時、臨床医はハブ５２の外側に延びている挿入スリーブ３０の部分をつかむことができる。ガイドカテーテル３６に対し静止している挿入スリーブ３０を保持している間に、臨床医は医療装置１０を遠位に前進させることができる。遠位に前進させることは、医療装置１０を挿入スリーブ３０の遠位端から効果的に押し出すことであると理解される。しかし、挿入スリーブ３０の遠位端は、ハブ５２内及びガイドカテーテル３６の内腔の少なくとも一方に位置決めされるので、医療装置１０もまた、ハブ５２内及びガイドカテーテル３６の内腔の少なくとも一方に位置決めされる。臨床医は次に、バスケット部材５０が標的部位に隣接するガイドカテーテル３６の遠位端から出るまで、医療装置１０を遠位方向に前進させ続ける。
【００４４】
図４は、患者の大動脈６０に配置されているガイドカテーテルの一例を示す。加えて、図４はガイドカテーテル３６を通って、ガイドカテーテル３６の遠位端から出た（例えば前進して、配備してなど）後に、心臓弁４６に隣接している医療装置１０を示す。示すように、心臓３４は弁膜６２を有する心臓弁４６を含む。心弁膜６２は弁口４８を規定する（例えば、弁膜６２によって規定される開口）。心弁膜はバスケット部材５０に向かって開口していることが、図４から分かる。言い換えると、左心室５８から大動脈６０へ血液が送り出される時、血液は左心室５８から流れて、弁膜６２を通って医療装置１０のバスケット部材５０へ向かう。図４は更に医療装置１０のシャフト１８の内腔から延びるガイドワイヤ３８を示している。ガイドワイヤ３８は医療装置１０から離れて前進し、心臓弁４６を通って（例えば、弁口４８を通って左心室５８に入る）、左心室５８に入る。
【００４５】
上述したように、医療装置１０のバスケット部材５０は、疾患がある心臓弁の開口を越えて自己配置されるように、設計されている。特に、医療装置１０はバスケット５０の形状が、カバー２８及び開口部４４と組み合わせて、弁口を通る血流に引っ張られるように設計されている。特に、バスケット５０は血流の最速部分で自己中央化するよう設計されている。後に図７−８に関して説明されるように、もし血流がその速度を表す一連のベクトルで表される場合、バスケット部材５０は最も大きいベクトルに沿って自己配置するであろう。
【００４６】
先に示唆したように、血流内で自己中央化するバスケット５０の能力は、カバー２８及び開口部４４と組み合わされるストラット部材２６の幾何学的な分布によるだろう。図５は、ストラット２６、開口部４４、及びカバー２８を含むバスケット部材５０の一例の斜視図である。図５に示すバスケット部材５０は、実質的に円錐状の形状であることがわかる。更に一般的なバスケット５０の円錐状の形状は、バスケット５０が血液の流れの中に「引き込まれる」能力を補助すると考えられる。言い換えれば、バスケット５０の円錐状の形状は、速く移動する血流をその縁で「捉える」能力、及び、縁から開口部４４内へ放射状に血流の全部又は一部を「漏斗を通じて入れる」という能力を増大させる。更に、血流はバスケット５０内に続けて入り、開口部４４へ集められ、開口部４４を通って出ていくことが考えられる。本質として、血流が弁を通って流れ続ける時、血流の最も早い部分がバスケット５０を定位置につかせ、ゆえに、医療装置１０を弁口の中央に維持させる。
【００４７】
図５は、一般的にダイヤモンドのような形状の開口部を有するフレーム２２を示しているが、フレーム２２は種々の形状、大きさ、模様、配置、幾何学模様などを含むことを理解されるだろう。更に、いくつかの例として、フレーム２２は種々の形状及び幾何学的配置の少なくとも一方を含む。例えば、上述の説明は図５に示すフレーム２２の形状に焦点を置いているが、これに限定されない。例えば、ストラット部材２６は、一つ又はそれ以上の開口部４４を形成するようにフレーム２２内に配置される（例えば、バスケット５０内に）。ストラット部材２６及び開口部４４の少なくとも一方の、数、形、態様、及び配置の少なくとも一つは、バスケット５０内でバランスを取ることが望まれるような特別な効能上の特性によって決められる。例えば、バスケット５０の頑丈さを増強するために、追加のストラット部材２６はフレーム２２に追加されてもよい。他の例として、ストラット部材２６は、バスケット５０内の血液の流れ方を増やしたり又は減らしたり（例えば、調節）するために、特別な幾何学模様を有してよい。
【００４８】
同様に、カバー２８はフレーム２２の全体にわたって様々な形態で設置する（例えば、配置する）ことが可能であり、血流及び血管の少なくとも一方に適合した応答を示す。言い換えると、特別に設計された効能上の特性を医療装置１０に与えるために、ストラット２２及びカバー２８の異なる形状及び配置の少なくとも一方における広範囲にわたる多様性が、バスケット５０には含まれる。例えば、時には、開口部４４の大部分を覆うようにカバー２８を含むことが望ましい。しかし、時には、開口部４４の小部分を覆うようにカバー２８を含むことが望ましい。前述のように、医療装置１０に特別な効能を与えるために、多くの異なるフレーム２２、開口部４４及びカバーの組み合わせが考えられる。例えば、時にカバー２８は実質的にフレーム２２の遠位部１２に沿って（例えば、遠位端領域に沿って）配置される（例えば、図１に示すように）。
【００４９】
図５は更に、実質的にバスケット５０の中央に配置されるガイドワイヤポート４２を示す。ガイドワイヤポート４２はシャフト１８の遠位端に形成される。更に、図５はシャフト１８の内腔５４を示す。内腔５４はガイドワイヤがそこに延在するよう設計されている。例えば、ガイドワイヤポート４２の遠位端は、バスケット５０の遠位端を越えて延びなくてよい。他の例として、ガイドワイヤポート４２の遠位端はバスケット５０の遠位端と実質的に面一でもよい。更に別の例として、ガイドワイヤポート４２の遠位端はバスケット５０の端部を越えて遠位方向に延びてもよい。
【００５０】
図６はフレーム幾何学模様２２とカバー２８の一例を有するバスケット５０の一例の端面図である。図６に示すように、ストラット２６は一般的なダイヤモンド形の開口部４４を作るよう配置されている。更に、開口部４４は外部縁（例えば、外周）からバスケット５０の中心部に移動する時に大きさを減らしているとわかる。これらは単に例示である。上述のように、多くの幾何学模様、パターン及びカバーデザインの組み合わせが考えられる。
【００５１】
図７及び８は、血流内でどのように医療装置１０が自己中央化するのかに関する説明の図を提供する。図７は弁口４８を含む弁４６の一例を示している。更に、血液が弁４６を通って流れる時、血流の流れに応じて、様々な大きさを有する速度ベクトルの勾配が観察される。図７に示すように、医療装置１０の一例では、医療装置１０は、最初は最も大きな速度ベクトルから偏倚して配置される（最も大きな速度を有する血流の部分に応じて）。しかし、図７に示すように、バスケット５０の外部縁の一部は最も大きな速度ベクトルを「捉える」ことができる。血流のその部分は次に、バスケット５０を弁口４８の中央に向かって効果的に「引っ張る」（図７の矢印が示すように）ことができ、それによって、弁口を越えてバスケット５０を中央化させる。
【００５２】
一旦弁口を越えて中央化された後は、（そして最も大きな速度流のベクトルに応じて）、バスケット５０は最も大きな速度を有する血流部分にのって中央化され続ける。血流の最も速く移動する部分は、弁口に関連していると考えられる。それ故に、図８に示す上向き及び下向きの矢印によって示されるように、バスケット５０は速度ベクトルの位置変化に応じてその位置を変える。言い換えると、バスケット５０の中心は一般的に弁口を通って流れる血流の最も早い移動部分に応じて自己配置する。ガイドワイヤポートは実質的にバスケット５０の中央に位置しているため、ガイドワイヤポートから前進させられるガイドワイヤは、弁口を通って直接前進させられる。
【００５３】
装置１０（及び本開示の他の装置の少なくとも一方）の様々な構成要素、及び本開示の様々な管状部材に使われることができる材料には、医療装置に関する共通の材料が含まれる。簡単にする目的のために、以下の説明は装置１０及び装置１０の他の構成要素に言及している。しかし本説明は、他の類似する管状部材及びここに示す管状部材及び装置の構成要素の、少なくとも一方に応用されてもよいため、ここで説明される装置及び方法に限定する目的ではない。
【００５４】
装置１０及び装置１０の他の構成要素の少なくとも一方は、金属、金属合金、ポリマ（いくつかの例は以下に開示）、金属ポリマ複合体、セラミック、それらの組み合わせ、及び同様の、又は他の適切な物質から作られることができる。いくつかの適切なポリマの例は、ポリテトラフルオロエチレン（ＰＴＦＥ）、エチレンテトラフルオロエチレン（ＥＴＦＥ）、フッ化エチレンプロピレン（ＦＥＰ）、ポリオキシメチレン（ＰＯＭ、例えば、ＤｕＰｏｎｔから入手可能なＤＥＬＲＩＮ（登録商標））、ポリエーテルブロックエステル、ポリウレタン（例えば、ポリウレタン８５Ａ）、ポリプロピレン（ＰＰ）、ポリ塩化ビニル（ＰＶＣ）、ポリエーテルエステル（例えば、ＤＳＭ  エンジニアリング  プラスチックスから入手可能なＡＲＮＩＴＥＬ（登録商標））、エーテル又はエステル系コポリマ（例えば、ＤｕＰｏｎｔから入手可能なＨＹＴＲＥＬ（登録商標）のような、ブチレン／ポリ（アルキレンエーテル）フタレート及び／又は他のポリエステルエラストマ）、ポリアミド（例えば、Ｂａｙｅｒから入手可能なＤＵＲＥＴＨＡＮ（登録商標）又はＥｌｆ  Ａｔｏｃｈｅｍから入手可能なＣＲＩＳＴＡＭＩＤ（登録商標））、エラストマ系ポリアミド、ブロックポリアミド／エーテル、ポリエーテルブロックアミド（ＰＥＢＡ、例えば、商品名ＰＥＢＡＸ（登録商標））、エチレンビニルアセテート共重合体（ＥＶＡ）、シリコーン、ポリエチレン（ＰＥ）、Ｍａｒｌｅｘ高密度ポリエチレン、Ｍａｒｌｅｘ低密度ポリエチレン、直鎖状低密度プリエチレン（例えばＲＥＸＥＬＬ（登録商標））、ポリエステル、ポリブチレンテレフタレート（ＰＢＴ）、ポリエチレンテレフタレート（ＰＥＴ），ポリトリメチレンテレフタレート、ポリエチレンナフタレート（ＰＥＮ）、ポリエーテルエーテルケトン（ＰＥＥＫ）、ポリイミド（ＰＩ）、ポリエーテルイミド（ＰＥＩ）、ポリフェニレンスルフィド（ＰＰＳ）、ポリフェニレンオキシド（ＰＰＯ）、ポリパラフェニレンテレフタルアミド（ＫＥＶＬＡＲ（登録商標））、ポリスルホン、ナイロン、ナイロン−１２（ＥＭＳ  Ａｍｅｒｉｃａｎ  Ｇｒｉｌｏｎから入手可能なＧＲＩＬＡＭＩＤ（登録商標））、ペルフルオロ（プロピルビニルエーテル）（ＰＦＡ）、エチレンビニルアルコール、ポリオレフィン、ポリスチレン、エポキシ、ポリ塩化ビニリデン（ＰＶｄＣ）、ポリ（スチレン−ｂ−イソブチレン−ｂ−スチレン）（例えば、ＳＩＢＳ及び／又はＳＩＢＳ  ５０Ａ）、ポリカーボネート、アイオノマ、生体適合性ポリマ、他の適切な材料、またはそれらの混合物、組み合わせ、それらのコポリマ、ポリマ/金属複合物などが挙げられる。いくつかの実施形態では、シースを液晶ポリマ（ＬＣＰ）とブレンドすることができる。例えば、混合物は約６％までのＬＣＰを含むことができる。
【００５５】
適切な金属および金属合金のいくつかの例には、３０４Ｖ、３０４Ｌ及び３１６ＬＶステンレス鋼のようなステンレス鋼、軟鋼、線状弾性及び/又は超弾性ニチノールなどのニッケルチタン合金、ニッケルクロムモリブデン合金（例えば、ＩＮＣＯＮＥＬ（登録商標）６２５のようなＵＮＳ  Ｎ０６６２５、ＨＡＳＴＥＬＬＯＹ（登録商標）Ｃ−２２（登録商標）のようなＵＮＳ  Ｎ０６０２２、ＨＡＳＴＥＬＬＯＹ（登録商標）Ｃ２７６（登録商標）のようなＵＮＳ  Ｎ１０２７６、他のＨＡＳＴＥＬＬＯＹ（登録商標）合金など）、ニッケル−銅合金（例えば、ＭＯＮＥＬ（登録商標）４００、ＮＩＣＫＥＬＶＡＣ（登録商標）４００、ＮＩＣＯＲＲＯＳ（登録商標）４００などのＵＮＳ  Ｎ０４４００）、ニッケルコバルトクロムモリブデン合金（例えば、ＭＰ３５−Ｎ（登録商標）などのようなＵＮＳ  Ｒ３００３５）、ニッケル−モリブデン合金（例えば、ＨＡＳＴＥＬＬＯＹ（登録商標）ＡＬＬＯＹ  Ｂ２（登録商標）のようなＵＮＳ  Ｎ１０６６５）、他のニッケルクロム合金、他のニッケルモリブデン合金、他のニッケルコバルト合金、他のニッケル鉄合金、他のニッケル銅合金、他のニッケルタングステン又はタングステン合金など、コバルトクロム合金、コバルトクロムモリブデン合金（例えば、ＥＬＧＩＬＯＹ（登録商標）、ＰＨＹＮＯＸ（登録商標）などのＵＮＳ  Ｒ３０００３）、プラチナ富化ステンレス鋼、チタン、それらの組み合わせなど、又は任意の他の適切な材料を含む。
【００５６】
少なくともいくつかの実施形態では、装置１０の一部または全体は、Ｘ線不透過性の物質を、ドープされ、又はそれから作られ、又はそれを含む。Ｘ線不透過性の物質は、医療行為の間、Ｘ線透視スクリーンに比較的暗い画像を生成すること、又は他の造影技術を生成することができる物質であると理解される。この比較的明るい映像は、装置１０の使用者がその位置を特定することを助ける。Ｘ線不透過物質のいくつかの例として、しかしこれらに限定されないが、金、プラチナ、パラジウム、タンタル、タングステン合金、Ｘ線不透過性の充填剤を含有するポリマ物質などを含む。加えて、他のＸ線不透過性のマーカバンド及びコイルの少なくとも一方は又、同様の結果を達成するために装置１０のデザインに組み込まれている。
【００５７】
いくつかの実施形態では、ある程度の磁気共鳴画像診断（ＭＲＩ）との適合性が装置１０に付与されている。例えば、装置１０、又はその一部は、実質的に画像を歪ませたり、実質的なアーチファクト（例えば、画像に欠落部）を生み出したりしないような物質で作られる。いくつかの強磁性体は、例えば、ＭＲＩ画像にアーチファクトを作り出すため適していない。装置１０又はその一部は、又、ＭＲＩ装置が撮影できるような物質で作られることができる。これらの特性を示す物質としては、例えば、タングステン、コバルトクロムモリブデン合金（例えば、ＥＬＧＩＬＯＹ（登録商標）、ＰＨＹＮＯＸ（登録商標）などのＵＮＳ  Ｒ３０００３など）、ニッケルコバルトクロムモリブデン合金（例えば、ＭＰ３５−Ｎ（登録商標）などのＵＮＳ  Ｒ３００３５）、ニチノールなどが挙げられる。
【００５８】
本開示は、多くの点において単なる例示に過ぎないと解されたい。詳細において、特には形状、サイズ、及び工程の配列において、本開示の範囲を逸脱することなく変更することが可能である。これには、適当な範囲内で、例示の実施形態の任意の要素をその他の実施形態に使用することが含まれる。言うまでもないが、本開示の範囲は、添付の請求項で表現される文言において定義される。
【図１】
2019502461.tif 000003
【図２】
2019502461.tif 000004
【図３】
2019502461.tif 000005
【図４】
2019502461.tif 000006
【図５】
2019502461.tif 000007
【図６】
2019502461.tif 000008
【図７】
2019502461.tif 000009
【図８】
2019502461.tif 000010
【手続補正書】
【提出日】平成30年7月24日(2018.7.24)
【手続補正１】
【補正対象書類名】特許請求の範囲
【補正対象項目名】全文
【補正方法】変更
【補正の内容】
【特許請求の範囲】
【請求項１】
医療装置において、
管状部材であって、その中に形成される内腔及びガイドワイヤポートを形成する遠位端部を有する管状部材と、
前記管状部材の前記遠位端部に沿って配置される拡張可能なフレームであって、前記フレームは第一態様と拡張態様との間に切り換えられるよう設計されていて、基部、端部領域及び前記基部と前記端部領域との間に延びる複数のストラットを備え、前記ストラットは前記フレームに沿った複数の開口部を規定する前記フレームと、
前記フレームの一部に取り付けられたカバーであって、前記カバーは、前記フレームが体管腔内に配置されている時に、前記フレームが前記ガイドワイヤポートを心臓弁の開口と整合させるように、一つ又はそれ以上の前記複数の開口部を覆うように構成されているカバーと、を備える医療装置。
【請求項２】
前記フレームが拡張態様にある時に前記端部領域は放線状に拡張している、請求項１に記載の医療装置。
【請求項３】
前記フレームが拡張態様にある時に、前記フレームは円錐形状を有する、請求項１又は２に記載の医療装置。
【請求項４】
前記フレームはニッケルチタン合金を含む、請求項１〜３のいずれか一項に記載の医療装置。
【請求項５】
前記カバーは血流を前記複数の開口部へ送り込むよう設計されている、請求項１〜４のいずれか一項に記載の医療装置。
【請求項６】
前記カバーは前記フレームまわりに延びている、請求項１〜５のいずれか一項に記載の医療装置。
【請求項７】
前記カバーは前記フレームの前記端部領域に隣接して位置決めされている、請求項１〜６のいずれか一項に記載の医療装置。
【請求項８】
前記フレームの基部に隣接する前記フレームの一部には前記カバーがない、請求項１〜７のいずれか一項に記載の医療装置。
【請求項９】
前記カバーは布を有する、請求項１〜８のいずれか一項に記載の医療装置。
【請求項１０】
前記カバーは前記フレームの外面、又は前記フレームの内面、又はその両方に沿って配置されている、請求項１〜９のいずれか一項に記載の医療装置。
【請求項１１】
前記カバーは膨張したポリテトラフルオロエチレンを有する、請求項１〜１０のいずれか一項に記載の医療装置。
【請求項１２】
前記管状部材のまわりに配置された挿入スリーブを更に有する、請求項１〜１１のいずれか一項に記載の医療装置。
【請求項１３】
前記挿入スリーブは前記管状部材に関してスライド可能であり、前記挿入スリーブは前記フレームを前記第一態様にシフトするために前記フレーム上をスライド可能である、請求項１２に記載の医療装置。
【請求項１４】
前記管状部材の近位領域に沿って配置されたマーカを更に有する、請求項１〜１３のいずれか一項に記載の医療装置。
【請求項１５】
医療装置の製造方法において、その方法は、
管状部材に拡張可能なフレームを取り付けることを含み、
前記管状部材はその中に形成される内腔及びガイドワイヤポートを規定する遠位端部を有する管状部材を備え、
第一態様と拡張態様との間に切り換えられるように設計される拡張可能なフレームであって、基部、端部領域及び前記基部と前記端部領域との間に延びる複数のストラットを備え、前記ストラットは前記フレームに沿った複数の開口部を規定しており、
前記方法は、前記フレームの一部にカバーを取り付けることを含み、
前記カバーは、前記フレームが体管腔内に位置している時、前記フレームが前記ガイドワイヤポートを心臓弁の開口と整合させるように、一つ又はそれ以上の前記複数の開口部を覆うように構成されていることと、を含む方法。
【請求項１６】
自己中央化医療装置において、
ガイドワイヤ内腔を形成する細長いシャフトであって、遠位ガイドワイヤポートを備えるシャフトと、
前記シャフトまわりに配置されたスライド可能なスリーブと、
前記シャフトに連結された自己拡張性のバスケットであって、第一態様と拡張態様との間に切り換えられよう設計されており、
前記バスケットが前記第一態様にある時に、前記バスケットまわりに配置される前記スリーブと、
前記遠位ガイドワイヤポートに近接して配置される基部と、前記遠位ガイドワイヤポートに隣接して配置される端部領域と、フレームに沿って複数の開口部を規定する、前記基部と前記端部領域との間に延びる複数のストラットと、を有するバスケットと、
前記フレームに取り付けられたカバーであって、
前記フレームが心臓弁に隣接した血管内に位置決めされる時に、前記遠位ガイドワイヤポートを心臓弁の開口と整合させるように、前記複数の開口部のうちいくつかを覆い、血流が前記複数の開口部へ送り込まれるように設計されているカバーと、を有する自己中央化医療装置。
【請求項１７】
前記バスケットが拡張態様にある時に前記バスケットは円錐形状を有する、請求項１６に記載の自己中央化医療装置。
【請求項１８】
前記カバーは前記バスケットの遠位部まわりに一周配置され、前記バスケットの近位部には前記カバーがない、請求項１６に記載の自己中央化医療装置。
【請求項１９】
前記カバーは、前記バスケットの外面、又は前記バスケットの内面、又はその両方に沿って配置されている、請求項１６に記載の自己中央化医療装置。
【請求項２０】
前記カバーは膨張したポリテトラフルオロエチレンを有する、請求項１６に記載の自己中央化医療装置。
【国際調査報告】
2019502461.tif 000011
2019502461.tif 000012
2019502461.tif 000013